(57)【要約】【課題】ＭＨＬ規格に対応しているか否かの判別において、コストや互換性の問題を回避することができるデータ送信装置を提供する。【解決手段】データ送信装置としてのソース機器２００は、ＨＤＭＩ規格のインタフェースで動作するデータ受信装置としてのシンク機器３００のＥＤＩＤ  ＲＯＭ３１０に記憶されている、シンク機器３００がＭＨＬ規格のインタフェースに対応可能か否かを表すＥ−ＥＤＩＤをシンク機器３００のＨＤＭＩ、およびＭＨＬ規格のインタフェースで動作するソース機器２００のＭＨＬ規格のインタフェースを介して取得して、取得したＥ−ＥＤＩＤに基づいて、シンク機器３００がＭＨＬ規格のインタフェースに対応可能か否かを判別する制御部２０６を備える。【選択図】図１
2011244391.tif 000002
【特許請求の範囲】
【請求項１】
第１のデジタルインタフェースで動作するデータ受信装置の記憶部に記憶されている、前記データ受信装置が前記第１のデジタルインタフェースとは異なる第２のデジタルインタフェースに対応可能か否かを表す識別情報を前記データ受信装置の前記第１のデジタルインタフェース、および前記第２のデジタルインタフェースで動作するデータ送信装置の前記第２のデジタルインタフェースを介して取得する取得部と、
前記取得部が取得した前記識別情報に基づいて、前記データ受信装置が前記第２のデジタルインタフェースに対応可能か否かを判別する判別部と、
を備える、前記データ送信装置。
【請求項２】
前記識別情報は、前記記憶部に記憶されているＥ−ＥＤＩＤ（Ｅｎｈａｎｃｅｄ  Ｅｘｔｅｎｄｅｄ  Ｄｉｓｐｌａｙ  Ｉｄｅｎｔｉｆｉｃａｔｉｏｎ  Ｄａｔａ）である、請求項１に記載のデータ送信装置。
【請求項３】
前記判別部は、前記Ｅ−ＥＤＩＤ上に記述されるＶＳＤＢ（Ｖｅｎｄｏｒ  Ｓｐｅｃｉｆｉｃ  Ｄａｔａ  Ｂｌｏｃｋ）に基づいて、前記データ受信装置が前記第２のデジタルインタフェースに対応可能か否かの判別を行う、請求項２に記載のデータ送信装置。
【請求項４】
前記第１のデジタルインタフェースは、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）規格のインタフェースであり、
前記第２のデジタルインタフェースは、ＭＨＬ（Ｍｏｂｉｌｅ  Ｈｉｇｈ−ｄｅｆｉｎｉｔｉｏｎ  Ｌｉｎｋ）規格のインタフェースである、請求項１に記載のデータ送信装置。
【請求項５】
第２のデジタルインタフェースで動作するデータ送信装置により、前記第２のデジタルインタフェースとは異なる第１のデジタルインタフェース、および前記第２のデジタルインタフェースを介して取得される、前記第１のデジタルインタフェースで動作するデータ受信装置が前記第２のデジタルインタフェースに対応可能か否かを表す識別情報を記憶する記憶部を
備える、前記データ受信装置。
【請求項６】
前記識別情報は、Ｅ−ＥＤＩＤ（Ｅｎｈａｎｃｅｄ  Ｅｘｔｅｎｄｅｄ  Ｄｉｓｐｌａｙ  Ｉｄｅｎｔｉｆｉｃａｔｉｏｎ  Ｄａｔａ）である、請求項５に記載のデータ受信装置。
【請求項７】
前記第１のデジタルインタフェースは、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）規格のインタフェースであり、
前記第２のデジタルインタフェースは、ＭＨＬ（Ｍｏｂｉｌｅ  Ｈｉｇｈ−ｄｅｆｉｎｉｔｉｏｎ  Ｌｉｎｋ）規格のインタフェースである、請求項５に記載のデータ受信装置。
【請求項８】
第１のデジタルインタフェースで動作するデータ受信装置の記憶部に記憶されている、前記データ受信装置が前記第１のデジタルインタフェースとは異なる第２のデジタルインタフェースに対応可能か否かを表す識別情報を前記データ受信装置の前記第１のデジタルインタフェース、および前記第２のデジタルインタフェースで動作するデータ送信装置の前記第２のデジタルインタフェースを介して取得する取得ステップと、
前記取得ステップで取得した前記識別情報に基づいて、前記データ受信装置が前記第２のデジタルインタフェースに対応可能か否かを判別する判別ステップと、
を有する、データ送信方法。
【請求項９】
第２のデジタルインタフェースで動作するデータ送信装置により、前記第２のデジタルインタフェースとは異なる第１のデジタルインタフェース、および前記第２のデジタルインタフェースを介して取得される、前記第１のデジタルインタフェースで動作するデータ受信装置が前記第２のデジタルインタフェースに対応可能か否かを表す識別情報を前記データ受信装置の記憶部に記憶させるステップを
有する、データ受信方法。
【発明の詳細な説明】
【技術分野】
【０００１】
本発明は、データ送信装置、データ受信装置、データ送信方法およびデータ受信方法に関する。
【背景技術】
【０００２】
近年、例えば、ソース機器からシンク機器に画像および音声のデータを高速に伝送する通信インタフェースとして、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）等のデジタルインタフェースが普及しつつある。ソース機器は、例えば、ゲーム機、ＤＶＤ（Ｄｉｇｉｔａｌ  Ｖｅｒｓａｔｉｌｅ  Ｄｉｓｃ）レコーダや、セットトップボックス、その他のＡＶソース（Ａｕｄｉｏ  Ｖｉｓｕａｌ  ｓｏｕｒｃｅ）である。シンク機器は、例えば、テレビ受信機、プロジェクタ、その他のディスプレイである。例えば、非特許文献１には、ＨＤＭＩ規格の詳細についての記載がある。
【先行技術文献】
【特許文献】
【０００３】
【非特許文献１】High-DefinitionMultimedia Interface Specification Version 1.4,June 5 2009
【発明の概要】
【発明が解決しようとする課題】
【０００４】
ＨＤＭＩ規格は、主に固定機器間の接続を想定している。そのため、コネクタのピン数も１９ピンと多く、コネクタ外形寸法も大きく、携帯機器にとっては不利である。そこで、少ないピン数でコネクタを小型化し、さらにＨＤＭＩと同等のベースバンドビデオ伝送を行う規格が検討され始めている。
【０００５】
このような中、新規格として、ＭＨＬ（Ｍｏｂｉｌｅ  Ｈｉｇｈ−ｄｅｆｉｎｉｔｉｏｎ  Ｌｉｎｋ）規格が提案されている。ＭＨＬ規格は、携帯機器向けの高速映像伝送用のインタフェース規格である。
【０００６】
ところで、ＭＨＬ規格に対応したソース機器は、シンク機器がＭＨＬ規格に対応しているか否かを専用のハードウェアによる信号、例えばレベルやパルス列などのやり取りを行うことにより、判別していた。
【０００７】
しかしながら、シンク機器がＭＨＬ規格に対応しているか否かの判別を、専用のハードウェアにより実現する場合、コストや互換性において問題が生じていた。
【０００８】
そこで、本発明は、上記問題に鑑みてなされたものであり、本発明の目的とするところは、ＭＨＬ規格に対応しているか否かの判別において、コストや互換性の問題を回避することが可能な、新規かつ改良されたデータ送信装置、データ受信装置、データ送信方法およびデータ受信方法を提供することにある。
【課題を解決するための手段】
【０００９】
上記課題を解決するために、本発明のある観点によれば、第１のデジタルインタフェースで動作するデータ受信装置の記憶部に記憶されている、前記データ受信装置が前記第１のデジタルインタフェースとは異なる第２のデジタルインタフェースに対応可能か否かを表す識別情報を前記データ受信装置の前記第１のデジタルインタフェース、および前記第２のデジタルインタフェースで動作するデータ送信装置の前記第２のデジタルインタフェースを介して取得する取得部と、前記取得部が取得した前記識別情報に基づいて、前記データ受信装置が前記第２のデジタルインタフェースに対応可能か否かを判別する判別部とを備える前記データ送信装置が提供される。
【００１０】
前記識別情報は、前記記憶部に記憶されているＥ−ＥＤＩＤ（Ｅｎｈａｎｃｅｄ  Ｅｘｔｅｎｄｅｄ  Ｄｉｓｐｌａｙ  Ｉｄｅｎｔｉｆｉｃａｔｉｏｎ  Ｄａｔａ）であってもよい。
【００１１】
前記判別部は、前記Ｅ−ＥＤＩＤ上に記述されるＶＳＤＢ（Ｖｅｎｄｏｒ  Ｓｐｅｃｉｆｉｃ  Ｄａｔａ  Ｂｌｏｃｋ）に基づいて、前記データ受信装置が前記第２のデジタルインタフェースに対応可能か否かの判別を行ってもよい。
【００１２】
前記第１のデジタルインタフェースは、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）規格のインタフェースであり、前記第２のデジタルインタフェースは、ＭＨＬ（Ｍｏｂｉｌｅ  Ｈｉｇｈ−ｄｅｆｉｎｉｔｉｏｎ  Ｌｉｎｋ）規格のインタフェースであってもよい。
【００１３】
また、上記課題を解決するために、本発明の別の観点によれば、第２のデジタルインタフェースで動作するデータ送信装置により、前記第２のデジタルインタフェースとは異なる第１のデジタルインタフェース、および前記第２のデジタルインタフェースを介して取得される、前記第１のデジタルインタフェースで動作するデータ受信装置が前記第２のデジタルインタフェースに対応可能か否かを表す識別情報を記憶する記憶部を備える前記データ受信装置が提供される。
【００１４】
前記識別情報は、Ｅ−ＥＤＩＤ（Ｅｎｈａｎｃｅｄ  Ｅｘｔｅｎｄｅｄ  Ｄｉｓｐｌａｙ  Ｉｄｅｎｔｉｆｉｃａｔｉｏｎ  Ｄａｔａ）であってもよい。
【００１５】
前記第１のデジタルインタフェースは、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）規格のインタフェースであり、前記第２のデジタルインタフェースは、ＭＨＬ（Ｍｏｂｉｌｅ  Ｈｉｇｈ−ｄｅｆｉｎｉｔｉｏｎ  Ｌｉｎｋ）規格のインタフェースであってもよい。
【００１６】
また、上記課題を解決するために、本発明の別の観点によれば、第１のデジタルインタフェースで動作するデータ受信装置の記憶部に記憶されている、前記データ受信装置が前記第１のデジタルインタフェースとは異なる第２のデジタルインタフェースに対応可能か否かを表す識別情報を前記データ受信装置の前記第１のデジタルインタフェース、および前記第２のデジタルインタフェースで動作するデータ送信装置の前記第２のデジタルインタフェースを介して取得する取得ステップと、前記取得ステップで取得した前記識別情報に基づいて、前記データ受信装置が前記第２のデジタルインタフェースに対応可能か否かを判別する判別ステップとを有するデータ送信方法が提供される。
【００１７】
また、上記課題を解決するために、本発明の別の観点によれば、第２のデジタルインタフェースで動作するデータ送信装置により、前記第２のデジタルインタフェースとは異なる第１のデジタルインタフェース、および前記第２のデジタルインタフェースを介して取得される、前記第１のデジタルインタフェースで動作するデータ受信装置が前記第２のデジタルインタフェースに対応可能か否かを表す識別情報を前記データ受信装置の記憶部に記憶させるステップを有するデータ受信方法が提供される。
【発明の効果】
【００１８】
以上説明したように本発明によれば、ＭＨＬ規格に対応しているか否かの判別において、コストや互換性の問題を回避することができる。
【図面の簡単な説明】
【００１９】
【図１】本発明の実施の形態に係るＡＶシステムの構成を概略的に示すブロック図である。
【図２】図１のＡＶシステムにおける接続装置のデータ送信部、およびシンク機器のデータ受信部の構成例を概略的に示す説明図である。
【図３】ＴＭＤＳ伝送データの構造例を説明するための説明図である。
【図４】ＨＤＭＩレセプタクルのピン配列の一例を説明するための説明図である。
【図５】図１のＡＶシステムにおけるソース機器のデータ送信部、および接続装置のデータ受信部の構成例を概略的に示す説明図である。
【図６】図１におけるシンク機器のＥＤＩＤ  ＲＯＭに記憶されているＥ−ＥＤＩＤ上に記述されるＭＨＬ  ＶＳＤＢの構造を説明するための説明図である。
【図７】図１におけるソース機器の制御部が実行するＭＨＬ対応判別処理のフローチャートである。
【発明を実施するための形態】
【００２０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２１】
なお、説明は以下の順序で行うものとする。
１．ＡＶシステムの構成
２．データ送信部およびデータ受信部の構成例（ＨＤＭＩ規格）
３．データ送信部およびデータ受信部の構成例（ＭＨＬ規格）
４．Ｅ−ＥＤＩＤ上に記述されるＭＨＬ  ＶＳＤＢの構造
５．ＭＨＬ対応判別処理
【００２２】
［１．ＡＶシステムの構成］
まず、本発明の実施の形態に係るＡＶ（Ａｕｄｉｏ  ａｎｄ  Ｖｉｓｕａｌ）システムについて説明する。図１は、本実施の形態に係るＡＶシステムの構成を概略的に示すブロック図である。
【００２３】
図１において、ＡＶシステム１００は、ソース機器２００と、シンク機器３００と、接続装置４００とを備える。ソース機器２００は、例えば、携帯電話、ゲーム機、デジタルカメラなどのＡＶソースである。シンク機器３００は、例えば、テレビ受信機、プロジェクタなどである。接続装置４００は、ドングルと称される、インタフェースの変換を行う装置である。
【００２４】
ソース機器２００および接続装置４００は、ケーブル５００を介して接続されている。ソース機器２００には、データ送信部２０４が接続されたコネクタ部２０２が設けられている。接続装置４００には、データ受信部４０４が接続されたコネクタ部４０２が設けられている。ケーブル５００の一端はソース機器２００のコネクタ部２０２に接続され、このケーブル５００の他端は接続装置４００のコネクタ部４０２に接続される。
【００２５】
ソース機器２００は、制御部２０６を有している。制御部２０６は、本発明の取得部、判別部の一例である。この制御部２０６は、ソース機器２００の全体を制御する。ソース機器２００のデータ送信部２０４は、ＭＨＬ規格のデジタルインタフェースに対応している。すなわち、ソース機器２００は、ＭＨＬ規格のデジタルインタフェースで動作する。接続装置４００のデータ受信部４０４は、ＭＨＬ規格のデジタルインタフェースに対応している。
【００２６】
接続装置４００およびシンク機器３００は、ケーブル６００を介して接続されている。接続装置４００には、データ送信部４０８が接続されたコネクタ部４０６が設けられている。シンク機器３００には、データ受信部３０４が接続されたコネクタ部３０２が設けられている。ケーブル６００の一端は接続装置４００のコネクタ部４０６に接続され、このケーブル６００の他端はシンク機器３００のコネクタ部３０２に接続される。
【００２７】
シンク機器３００は、制御部３０６を有している。この制御部３０６は、シンク機器３００の全体を制御する。シンク機器３００のデータ受信部３０４は、ＨＤＭＩ規格のデジタルインタフェースに対応している。すなわち、シンク機器３００は、ＨＤＭＩ規格のデジタルインタフェースで動作する。接続装置４００のデータ送信部４０８は、ＨＤＭＩ規格のデジタルインタフェースに対応している。
【００２８】
接続装置４００は、Ｉ／Ｆ回路およびプロトコル変換回路４１０を有している。データ受信部４０４およびデータ送信部４０８は、Ｉ／Ｆ回路およびプロトコル変換回路４１０を介して接続されている。Ｉ／Ｆ回路およびプロトコル変換回路４１０は、制御部４１２の制御により、データ受信部４０４が受信したデータのプロトコル処理を行う。
【００２９】
接続装置４００は、制御部４１２を有している。この制御部４１２は、接続装置４００の全体を制御する。また、接続装置４００は、メモリ４１４を有している。
【００３０】
本実施の形態では、接続装置４００の制御部４１２は、接続装置４００とシンク機器３００とが接続されると、データ送信部４０８を制御して、シンク機器３００のデータ受信部３０４から、後述するＥ−ＥＤＩＤを読み出す。そして、制御部４１２は、読み出したＥ−ＥＤＩＤに基づいて、シンク機器３００がＭＨＬ対応か否かを判別する。制御部４１２は、シンク機器３００がＭＨＬ対応か否かの判別結果をメモリ４１４に記憶させる。制御部４１２は、メモリ４１４に記憶されたＭＨＬ対応か否かの判別結果に基づいて、Ｉ／Ｆ回路およびプロトコル変換回路４１０を制御する。
【００３１】
本実施の形態では、例えば、接続装置４００は、シンク機器３００がＭＨＬ対応である場合は、制御部４１２の制御により、プロトコルをそのままシンク機器３００に伝送して通信を行う。また、接続装置４００は、シンク機器３００がＭＨＬ非対応である場合は、制御部４１２の制御により、ＨＤＭＩの範囲でのプロトコルをフィルターしてシンク機器３００に伝送して通信を行う。
【００３２】
また、本実施の形態では、例えば、接続装置４００は、シンク機器３００がＭＨＬ対応である場合は、制御部４１２の制御により、シンク機器３００がＭＨＬ対応装置であるとみなしてプロトコルを処理する。また、接続装置４００は、シンク機器３００がＭＨＬ非対応である場合は、制御部４１２の制御により、ＨＤＭＩ機能の内、ＭＨＬ機能に限定した処理をするように仲介する。例えば、Ｅ−ＥＤＩＤ中のＭＨＬで対応できない能力をマスクして、すなわち０にしてシンク機器３００に伝送する。
【００３３】
また、本実施の形態では、ソース機器２００の制御部２０６は、ソース機器２００と接続装置４００とが接続されると、データ送信部２０４を制御して、接続装置４００のメモリ４１４から、シンク機器３００がＭＨＬ対応か否かの判別結果を読み出す。そして、制御部２０６は、読み出した判別結果に基づいて、シンク機器３００がＭＨＬ対応か否かを認識する。なお、制御部２０６は、データ送信部２０４を制御して、接続装置４００の制御部４１２が読み出したＥ−ＥＤＩＤを読み出して、読み出したＥ−ＥＤＩＤに基づいて、シンク機器３００がＭＨＬ対応か否かを判別してもよい。
【００３４】
［２．データ送信部およびデータ受信部の構成例（ＨＤＭＩ規格）］
次に、図１のＡＶシステム１００における接続装置４００のデータ送信部４０８、およびシンク機器３００のデータ受信部３０４について説明する。図２は、図１のＡＶシステム１００における接続装置４００のデータ送信部４０８、およびシンク機器３００のデータ受信部３０４の構成例を概略的に示す説明図である。この構成例は、データ送信部４０８およびデータ受信部３０４のデジタルインタフェースが、ＨＤＭＩ規格のデジタルインタフェースの場合を示している。
【００３５】
データ送信部４０８は、有効画像区間（以下、適宜、アクティブビデオ区間ともいう）において、非圧縮の１画面分の画像の画素データに対応する差動信号を、複数のチャネルで、データ受信部３０４に一方向に送信する。ここで、有効画像区間は、一の垂直同期信号から次の垂直同期信号までの区間から、水平帰線区間および垂直帰線区間を除いた区間である。また、データ送信部４０８は、水平帰線区間または垂直帰線区間において、少なくとも画像に付随するクローズドキャプションデータや音声データ、制御データ、その他の補助データ等に対応する差動信号を、複数のチャネルで、データ受信部３０４に一方向に送信する。
【００３６】
データ送信部４０８とデータ受信部３０４とからなるＨＤＭＩシステムの伝送チャネルには、以下の伝送チャネルがある。すなわち、データ送信部４０８からデータ受信部３０４に対して、画素データおよび音声データを、ピクセルクロックに同期して、一方向にシリアル伝送するための伝送チャネルとしての、３つのＴＭＤＳチャネル＃０〜＃２がある。また、ＴＭＤＳクロックを伝送する伝送チャネルとしての、ＴＭＤＳクロックチャネルがある。
【００３７】
データ送信部４０８は、ＨＤＭＩトランスミッタ４１８を有する。このＨＤＭＩトランスミッタ４１８は、例えば、非圧縮の画像の画素データを対応する差動信号に変換し、複数のチャネルである３つのＴＭＤＳチャネル＃０，＃１，＃２で、ＨＤＭＩケーブルを介して接続されているデータ受信部３０４に、一方向にシリアル伝送する。
【００３８】
また、ＨＤＭＩトランスミッタ４１８は、非圧縮の画像に付随する音声データ、さらには、必要な制御データ、その他の補助データなどを、対応する差動信号に変換し、３つのＴＭＤＳチャネル＃０，＃１，＃２でデータ受信部３０４に、一方向にシリアル伝送する。
【００３９】
さらに、ＨＤＭＩトランスミッタ４１８は、３つのＴＭＤＳチャネル＃０，＃１，＃２で送信する画素データに同期したＴＭＤＳクロックを、ＴＭＤＳクロックチャネルで、ＨＤＭＩケーブルを介して接続されているデータ受信部３０４に送信する。ここで、１つのＴＭＤＳチャネル＃ｉ（ｉ＝０，１，２）では、ＴＭＤＳクロックの１クロックの間に、１０ビットのデータが送信される。
【００４０】
データ受信部３０４は、アクティブビデオ区間において、複数のチャネルで、データ送信部４０８から一方向に送信されてくる、画素データに対応する差動信号を受信する。また、このデータ受信部３０４は、水平帰線区間または垂直帰線区間において、複数のチャネルで、データ送信部４０８から一方向に送信されてくる、音声データや制御データに対応する差動信号を受信する。
【００４１】
すなわち、データ受信部３０４は、ＨＤＭＩレシーバ３０８を有する。このＨＤＭＩレシーバ３０８は、ＴＭＤＳチャネル＃０，＃１，＃２で、データ送信部４０８から一方向に送信されてくる、画素データに対応する差動信号と、音声データや制御データに対応する差動信号を受信する。この場合、データ送信部４０８からＴＭＤＳクロックチャネルで送信されてくるピクセルクロック（ＴＭＤＳクロック）に同期して受信する。
【００４２】
ＨＤＭＩシステムの伝送チャネルには、上述のＴＭＤＳチャネル＃０〜＃２およびＴＭＤＳクロックチャネルの他に、ＤＤＣ（Ｄｉｓｐｌａｙ  Ｄａｔａ  Ｃｈａｎｎｅｌ）やＣＥＣラインと呼ばれる伝送チャネルがある。ＤＤＣは、ＨＤＭＩケーブルに含まれる図示しない２本の信号線からなる。ＤＤＣは、データ送信部４０８が、データ受信部３０４から、Ｅ−ＥＤＩＤ（Ｅｎｈａｎｃｅｄ  Ｅｘｔｅｎｄｅｄ  Ｄｉｓｐｌａｙ  Ｉｄｅｎｔｉｆｉｃａｔｉｏｎ  Ｄａｔａ）を読み出すために使用される。
【００４３】
すなわち、データ受信部３０４は、ＨＤＭＩレシーバ３０８の他に、自身の性能（Ｃｏｎｆｉｇｕｒａｔｉｏｎ／ｃａｐａｂｉｌｉｔｙ）に関する性能情報であるＥ−ＥＤＩＤを記憶している、ＥＤＩＤ  ＲＯＭ（Ｒｅａｄ  Ｏｎｌｙ  Ｍｅｍｏｒｙ）３１０を有している。ＥＤＩＤ  ＲＯＭ３１０は、本発明の記憶部の一例である。データ送信部４０８は、例えば、制御部４１２からの要求に応じて、ＨＤＭＩケーブルを介して接続されているデータ受信部３０４から、Ｅ−ＥＤＩＤを、ＤＤＣを介して読み出す。
【００４４】
データ送信部４０８は、読み出したＥ−ＥＤＩＤを制御部４１２に送る。制御部４１２は、このＥ−ＥＤＩＤを、図示しないフラッシュＲＯＭあるいはＤＲＡＭに格納する。制御部４１２は、Ｅ−ＥＤＩＤに基づき、データ受信部３０４の性能の設定やシンク機器３００がＭＨＬに対応する能力を持つか否かを認識できる。例えば、制御部４１２は、データ受信部３０４を有するシンク機器３００がＭＨＬに対応する能力を持つか否かを認識する。例えば、制御部４１２は、データ受信部３０４を有するシンク機器３００が立体画像データの取り扱いが可能か否か、可能である場合はさらにいかなるＴＭＤＳ伝送データ構造に対応可能であるか等を認識する。
【００４５】
ＣＥＣラインは、ＨＤＭＩケーブルに含まれる図示しない１本の信号線からなり、データ送信部４０８とデータ受信部３０４との間で、制御用のデータの双方向通信を行うために用いられる。このＣＥＣラインは、制御データラインを構成している。
【００４６】
また、ＨＤＭＩケーブルには、ＨＰＤ（Ｈｏｔ  Ｐｌｕｇ  Ｄｅｔｅｃｔ）と呼ばれるピンに接続されるライン（ＨＰＤライン）が含まれている。ソース機器は、このＨＰＤラインを利用して、シンク機器の接続を検出することができる。なお、このＨＰＤラインは双方向通信路を構成するＨＥＡＣ−ラインとしても使用される。また、ＨＤＭＩケーブルには、ソース機器からシンク機器に電源を供給するために用いられる電源ライン（＋５ＶＰｏｗｅｒ  Ｌｉｎｅ）が含まれている。さらに、ＨＤＭＩケーブルには、ユーティリティラインが含まれている。このユーティリティラインは双方向通信路を構成するＨＥＡＣ＋ラインとしても使用される。
【００４７】
図３は、ＴＭＤＳ伝送データの構造例を説明するための説明図である。この図３は、ＴＭＤＳチャネル＃０，＃１，＃２において、横×縦が１９２０ピクセル×１０８０ラインの画像データが伝送される場合の、各種の伝送データの区間を示している。
【００４８】
ＨＤＭＩの３つのＴＭＤＳチャネル＃０，＃１，＃２で伝送データが伝送されるビデオフィールド（Ｖｉｄｅｏ  Ｆｉｅｌｄ）には、伝送データの種類に応じて、３種類の区間が存在する。この３種類の区間は、ビデオデータ区間（Ｖｉｄｅｏ  Ｄａｔａ  ｐｅｒｉｏｄ）、データアイランド区間（Ｄａｔａ  Ｉｓｌａｎｄ  ｐｅｒｉｏｄ）、およびコントロール区間（Ｃｏｎｔｒｏｌ  ｐｅｒｉｏｄ）である。
【００４９】
ここで、ビデオフィールド区間は、ある垂直同期信号の立ち上がりエッジ（ａｃｔｉｖｅ  ｅｄｇｅ）から次の垂直同期信号の立ち上がりエッジまでの区間である。このビデオフィールド区間は、水平ブランキング期間（ｈｏｒｉｚｏｎｔａｌ  ｂｌａｎｋｉｎｇ）、垂直ブランキング期間（ｖｅｒｔｉｃａｌ  ｂｌａｎｋｉｎｇ）、並びに、アクティブビデオ区間（Ａｃｔｉｖｅ  Ｖｉｄｅｏ）に分けられる。このアクティブビデオ区間は、ビデオフィールド区間から、水平ブランキング期間および垂直ブランキング期間を除いた区間である。
【００５０】
ビデオデータ区間は、アクティブビデオ区間に割り当てられる。このビデオデータ区間では、非圧縮の１画面分の画像データを構成する１９２０ピクセル（画素）×１０８０ライン分の有効画素（Ａｃｔｉｖｅ  ｐｉｘｅｌ）のデータが伝送される。
【００５１】
データアイランド区間およびコントロール区間は、水平ブランキング期間および垂直ブランキング期間に割り当てられる。このデータアイランド区間およびコントロール区間では、補助データ（Ａｕｘｉｌｉａｒｙ  ｄａｔａ）が伝送される。すなわち、データアイランド区間は、水平ブランキング期間と垂直ブランキング期間の一部分に割り当てられている。このデータアイランド区間では、補助データのうち、制御に関係しないデータである、例えば、音声データのパケット等が伝送される。
【００５２】
コントロール区間は、水平ブランキング期間と垂直ブランキング期間の他の部分に割り当てられている。このコントロール区間では、補助データのうちの、制御に関係するデータである、例えば、垂直同期信号および水平同期信号、制御パケット等が伝送される。
【００５３】
図４は、ＨＤＭＩレセプタクルのピン配列の一例を説明するための説明図である。図４に示すピン配列はタイプＡ（ｔｙｐｅ−Ａ）と呼ばれている。ＴＭＤＳチャネル＃ｉの差動信号であるＴＭＤＳ  Ｄａｔａ＃ｉ＋とＴＭＤＳ  Ｄａｔａ＃ｉ−は差動線である２本のラインにより伝送される。この２本のラインは、ＴＭＤＳ  Ｄａｔａ＃ｉ＋が割り当てられているピン（ピン番号が１，４，７のピン）と、ＴＭＤＳ  Ｄａｔａ＃ｉ−が割り当てられているピン（ピン番号が３，６，９のピン）に接続される。
【００５４】
また、制御用のデータであるＣＥＣ信号が伝送されるＣＥＣラインは、ピン番号が１３であるピンに接続される。また、Ｅ−ＥＤＩＤ等のＳＤＡ（Ｓｅｒｉａｌ  Ｄａｔａ）信号が伝送されるラインは、ピン番号が１６であるピンに接続される。ＳＤＡ信号の送受信時の同期に用いられるクロック信号であるＳＣＬ（Ｓｅｒｉａｌ  Ｃｌｏｃｋ）信号が伝送されるラインは、ピン番号が１５であるピンに接続される。上述のＤＤＣは、ＳＤＡ信号が伝送されるラインおよびＳＣＬ信号が伝送されるラインにより構成される。
【００５５】
また、上述したようにソース機器がシンク機器の接続を検出するためのＨＰＤライン（ＨＥＡＣ−ライン）は、ピン番号が１９であるピンに接続される。また、ユーティリティライン（ＨＥＡＣ＋ライン）は、ピン番号が１４であるピンに接続される。また、上述したように電源を供給するための電源ラインは、ピン番号が１８であるピンに接続される。
【００５６】
［３．データ送信部およびデータ受信部の構成例（ＭＨＬ規格）］
次に、図１のＡＶシステム１００におけるソース機器２００のデータ送信部２０４、および接続装置４００のデータ受信部４０４について説明する。図５は、図１のＡＶシステム１００におけるソース機器２００のデータ送信部２０４、および接続装置４００のデータ受信部４０４の構成例を概略的に示す説明図である。この構成例は、データ送信部２０４およびデータ受信部４０４のデジタルインタフェースが、ＭＨＬ規格のデジタルインタフェースの場合を示している。この図５において、図２と対応する部分については、適宜、その詳細説明を省略する。
【００５７】
データ送信部２０４は、有効画像区間（以下、適宜、アクティブビデオ区間ともいう）において、非圧縮の１画面分の画像の画素データに対応する差動信号を、複数のチャネルで、データ受信部４０４に一方向に送信する。ここで、有効画像区間は、一の垂直同期信号から次の垂直同期信号までの区間から、水平帰線区間および垂直帰線区間を除いた区間である。また、データ送信部２０４は、水平帰線区間または垂直帰線区間において、少なくとも画像に付随する音声データや制御データ、その他の補助データなどに対応する差動信号を、１つのＴＭＤＳチャネル＃０で、データ受信部４０４に一方向に送信する。
【００５８】
この場合、ＴＭＤＳクロックは、ＨＤＭＩ規格（図２参照）の場合の三倍とされることで、ＴＭＤＳチャネル＃０だけでの伝送を可能にしている。また、ＴＭＤＳクロック自身も、ＴＭＤＳチャネル＃０にコモンモードで挿入することで、ＴＭＤＳクロックチャネルも不要としている。そのため、このＭＨＬ規格のデジタルインタフェースでは、ＨＤＭＩレセプタクルのＰＩＮ１，２の２ピンが使用される。
【００５９】
データ送信部２０８は、トランスミッタ２０８を有する。このトランスミッタ２０８は、例えば、非圧縮の画像の画素データを対応する差動信号に変換し、１つのＴＭＤＳチャネル＃０で、ＭＨＬケーブルを介して接続されているデータ受信部４０４に、一方向にシリアル伝送する。
【００６０】
また、トランスミッタ２０８は、非圧縮の画像に付随する音声データ、さらには、必要な制御データ、その他の補助データなどを、対応する差動信号に変換し、１つのＴＭＤＳチャネル＃０でデータ受信部４０４に、一方向にシリアル伝送する。
【００６１】
データ受信部４０４は、アクティブビデオ区間において、１つのチャネル＃０で、データ送信部２０４から一方向に送信されてくる、画素データに対応する差動信号を受信する。また、このデータ受信部４０４は、水平帰線区間または垂直帰線区間において、１つのチャネル＃０で、データ送信部２０４から一方向に送信されてくる、音声データや制御データに対応する差動信号を受信する。
【００６２】
すなわち、データ受信部４０４は、レシーバ４１６を有する。このレシーバ４１６は、ＴＭＤＳチャネル＃０で、データ送信部２０４から一方向に送信されてくる、画素データに対応する差動信号と、音声データや制御データに対応する差動信号を受信する。
【００６３】
また、この図５の構成例では、ＣＥＣ，ＤＤＣ，ＨＰＤのラインとして、１本のコントロールライン（Ｃｏｎｔｒｏｌ  Ｌｉｎｅ）（ＣＢＵＳ）が使用される。データ送信部２０４は、例えば、制御部２０６からの要求に応じて、ＭＨＬケーブルを介して接続されている接続装置４００のメモリから、シンク機器３００がＭＨＬ対応か否かの判別結果を、コントロールラインを介して読み出す。また、データ送信部２０４は、例えば、制御部２０６からの要求に応じて、ＭＨＬケーブルを介して接続されている接続装置４００の制御部４１２が読み出したＥ−ＥＤＩＤを、コントロールラインを介して読み出してもよい。また、電源ライン（＋５ＶＰｏｗｅｒ  Ｌｉｎｅ）は省略される。また、ＵＳＢのように携帯ソース機器充電用にＶＢＵＳライン（ＶＢＵＳ  Ｌｉｎｅ）が追加され、さらに、共通にグランドライン（Ｇｒａｎｄ  Ｌｉｎｅ）が設けられる。
【００６４】
コントロールラインは、ピン番号が３であるピンに接続される。また、ＶＢＵＳラインは、ピン番号が４であるピンに接続される。さらに、グランドラインは、ピン番号が５であるピンに接続される。そのため、この図５に示すＭＨＬ規格のデジタルインタフェースでは、ＨＤＭＩレセプタクル（Ａタイプ）の各ピンのうち、ＰＩＮ６−１９の１４ピンが未使用となる。
【００６５】
図５に示すＭＨＬ規格の場合におけるデータ送信部２０４とデータ受信部４０４の構成例のその他は、図２に示すＨＤＭＩ規格の場合におけるデータ送信部４０８とデータ受信部３０４の構成例と同様であるので、その詳細説明は省略する。
【００６６】
［４．Ｅ−ＥＤＩＤ上に記述されるＭＨＬ  ＶＳＤＢの構造］
次に、図１におけるシンク機器３００のＥＤＩＤ  ＲＯＭ３１０に記憶されているＥ−ＥＤＩＤ上に記述されるＭＨＬ  ＶＳＤＢの構造について説明する。図６は、図１におけるシンク機器３００のＥＤＩＤ  ＲＯＭ３１０に記憶されているＥ−ＥＤＩＤ上に記述されるＭＨＬ  ＶＳＤＢの構造を説明するための説明図である。
【００６７】
図６において、ＭＨＬ  ＶＳＤＢ（Ｖｅｎｄｏｒ  Ｓｐｅｃｉｆｉｃ  Ｄａｔａ  Ｂｌｏｃｋ）は、Ｂｙｔｅ＃０のｂｉｔ７−５がＣＥＡ  Ｄａｔａ  ＢｌｏｃｋがＶｅｎｄｏｒ  Ｓｐｅｃｉｆｉｃ  Ｄａｔａ  Ｂｌｏｃｋであることを示す３に設定される。また、ＭＨＬ  ＶＳＤＢは、Ｂｙｔｅ＃０のｂｉｔ４−０がそのＤａｔａ  Ｂｌｏｃｋの長さを示す５ｂｉｔのＬｅｎｇｔｈに設定される。但し、Ｂｙｔｅ＃０は、Ｌｅｎｇｔｈに含まない。また、ＭＨＬ  ＶＳＤＢは、Ｂｙｔｅ＃１−３がＭＨＬのＯＵＩ（Ｏｒｇａｎｉｚａｔｉｏｎａｌｌｙ  Ｕｎｉｑｕｅ  Ｉｄｅｎｔｉｆｉｅｒ）を示す２４ｂｉｔのＩＥＥＥ  Ｒｅｇｉｓｔｒａｔｉｏｎ  Ｉｄｅｎｔｉｆｉｅｒに設定される。
【００６８】
［５．ＭＨＬ対応判別処理］
次に、図１におけるソース機器２００の制御部２０６、または接続装置４００の制御部４１２が実行するＭＨＬ対応判別処理について説明する。ソース機器２００の制御部２０６が実行するＭＨＬ対応判別処理と、接続装置４００の制御部４１２が実行するＭＨＬ対応判別処理とは基本的に同様の処理であるため、以下ソース機器２００の制御部２０６が実行するＭＨＬ対応判別処理について説明する。図７は、図１におけるソース機器２００の制御部２０６が実行するＭＨＬ対応判別処理のフローチャートである。
【００６９】
図７において、まず、ソース機器２００の制御部２０６は、データ送信部２０４を制御して、接続装置４００の制御部４１２が読み出したシンク機器３００のＥＤＩＤ  ＲＯＭ３１０に記憶されているＥ−ＥＤＩＤを読み出して、ＥＤＩＤ  Ｄａｔａ  Ｂｌｏｃｋ  Ｈｅａｄｅｒ  Ｂｙｔｅであるか否かを判別する（ステップＳ１０２）。
【００７０】
ステップＳ１０２の判別の結果、ＥＤＩＤ  Ｄａｔａ  Ｂｌｏｃｋ  Ｈｅａｄｅｒ  Ｂｙｔｅであるときは（ステップＳ１０２でＹＥＳ）、制御部２０６は、Ｄａｔａ  Ｂｌｏｃｋ  Ｈｅａｄｅｒ  Ｂｙｔｅの７−５ｂｉｔのＶｅｎｄｏｒ−ｓｐｅｃｉｆｉｃ  ｔａｇ  ｃｏｄｅが３であるか否かを判別する（ステップＳ１０４）。なお、ＥＤＩＤ  Ｄａｔａ  Ｂｌｏｃｋ  Ｈｅａｄｅｒ  ＢｙｔｅのＢｙｔｅ＃をＮとする。
【００７１】
ステップＳ１０４の判別の結果、Ｖｅｎｄｏｒ−ｓｐｅｃｉｆｉｃ  ｔａｇ  ｃｏｄｅが３であるときは（ステップＳ１０４でＹＥＳ）、制御部２０６は、２４ｂｉｔのＩＥＥＥ  Ｒｅｇｉｓｔｒａｔｉｏｎ  ＩｄｅｎｔｉｆｉｅｒがＭＨＬを示すものであるか否かを判別する（ステップＳ１０６）。
【００７２】
ステップＳ１０６の判別の結果、２４ｂｉｔのＩＥＥＥ  Ｒｅｇｉｓｔｒａｔｉｏｎ  ＩｄｅｎｔｉｆｉｅｒがＭＨＬを示すものであるときは（ステップＳ１０６でＹＥＳ）、制御部２０６は、シンク機器３００がＭＨＬ対応と判別して（ステップＳ１０８）、本処理を終了する。
【００７３】
一方、ステップＳ１０２の判別の結果、ＥＤＩＤ  Ｄａｔａ  Ｂｌｏｃｋ  Ｈｅａｄｅｒ  Ｂｙｔｅでないとき（ステップＳ１０２でＮＯ）、ステップＳ１０４の判別の結果、Ｖｅｎｄｏｒ−ｓｐｅｃｉｆｉｃ  ｔａｇ  ｃｏｄｅが３でないとき（ステップＳ１０４でＮＯ）、またはステップＳ１０６の判別の結果、２４ｂｉｔのＩＥＥＥ  Ｒｅｇｉｓｔｒａｔｉｏｎ  ＩｄｅｎｔｉｆｉｅｒがＭＨＬを示すものでないときは（ステップＳ１０６でＮＯ）、制御部２０６は、他の処理、例えばシンク機器３００がＭＨＬ非対応と判別する処理を行って（ステップＳ１１０）、本処理を終了する。
【００７４】
図７のＭＨＬ対応判別処理によれば、ソース機器２００の制御部２０６は、シンク機器３００のＥＤＩＤ  ＲＯＭ３１０に記憶されているＥ−ＥＤＩＤを読み出して、シンク機器３００がＭＨＬ対応か否かの判別を行う。したがって、シンク機器３００がＭＨＬ規格に対応しているか否かを専用のハードウェアによる信号、例えばレベルやパルス列などのやり取りを行うことによって、判別する必要がない。これにより、シンク機器３００がＭＨＬ規格に対応しているか否かの判別を専用のハードウェアにより実現する場合において生じていたコストや互換性の問題を回避することができる。
【００７５】
また、本発明の目的は、上述した実施の形態の機能を実現するソフトウェアのプログラムコードを記憶した記憶媒体を、システム或いは装置に供給し、そのシステム或いは装置のコンピュータ（またはＣＰＵやＭＰＵ等）が記憶媒体に格納されたプログラムコードを読み出し実行することによっても達成される。
【００７６】
この場合、記憶媒体から読み出されたプログラムコード自体が上述した実施の形態の機能を実現することになり、そのプログラムコード及び該プログラムコードを記憶した記憶媒体は本発明を構成することになる。
【００７７】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ等の光ディスク、磁気テープ、不揮発性のメモリカード、ＲＯＭ等を用いることができる。または、プログラムコードをネットワークを介してダウンロードしてもよい。
【００７８】
また、コンピュータが読み出したプログラムコードを実行することにより、上述した実施の形態の機能が実現されるだけではなく、そのプログラムコードの指示に基づき、コンピュータ上で稼動しているＯＳ（オペレーティングシステム）等が実際の処理の一部または全部を行い、その処理によって上述した実施の形態の機能が実現される場合も含まれる。
【００７９】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その拡張機能を拡張ボードや拡張ユニットに備わるＣＰＵ等が実際の処理の一部または全部を行い、その処理によって上述した実施の形態の機能が実現される場合も含まれる。
【００８０】
以上、添付図面を参照しながら本発明の好適な実施の形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００８１】
１００    ＡＶシステム
２００    ソース機器
２０２    コネクタ部
２０４    データ送信部
２０６    制御部
２０８    トランスミッタ
３００    シンク機器
３０２    コネクタ部
３０４    データ受信部
３０６    制御部
３０８    ＨＤＭＩレシーバ
３１０    ＥＤＩＤ  ＲＯＭ
４００    接続装置
４０２    コネクタ部
４０４    データ受信部
４０６    コネクタ部
４０８    データ送信部
４１０    Ｉ／Ｆ回路およびプロトコル変換回路
４１２    制御部
４１４    メモリ
４１６    レシーバ
４１８    ＨＤＭＩトランスミッタ
【図１】
2011244391.tif 000003
【図２】
2011244391.tif 000004
【図３】
2011244391.tif 000005
【図４】
2011244391.tif 000006
【図５】
2011244391.tif 000007
【図６】
2011244391.tif 000008
【図７】
2011244391.tif 000009